(57)【要約】【課題】手術用の縫合針を持針器に装着したまま安全に保管でき、かつ必要なときにすぐに取り出せる縫合針の保管容器を提供することにある。【解決手段】透明のプラスチックのケースからなり手前から後に開く蓋を設け、容器の前側壁には略逆三角形状の溝を設けることでいろんな種類・大きさの持針器が立て掛けられるようにし、容器の内側の後壁側に仕切りを設けることで持針器につけていない縫合針を容器の中で確実に保管できることを特徴とした。【選択図】図２
2009247834.tif 000002
【特許請求の範囲】
【請求項１】
手術用縫合針を持針器に装着したままの状態で保管できる容器であり、透明のプラスチックのケースからなり、手前から後に開く蓋を設け、容器の前側壁には持針器が立て掛けられるように略逆三角形状の溝があり、該溝に持針器を立て掛けた状態で前記蓋を閉じることができる構造であることを特徴とする縫合針の保管容器。
【請求項２】
容器の内側の後壁側に仕切りを設け、持針器につけていない針を保管できる構造とした、請求項１記載の縫合針の保管容器。
【発明の詳細な説明】
【技術分野】
【０００１】
本発明は持針器に縫合針をつけたままの状態で保管できる容器に関するものである。
【背景技術】
【０００２】
看護師は手術の縫合時に備えて、持針器に縫合針をつけて準備している。ところが使用済みの手術用針を収納するスポンジやマグネット容器などのカウンターは多々発明されているが、使用中の針を持針器につけたまま収納する容器は発明されていない。そのため、縫合針をつけた持針器は器械の入っている籠やシャーレなどに立て掛けて準備していることが多く、その籠やシャーレなどからは、針の先端が露出しており器械管理の妨げとなっている。針の先端にガーゼ等がひっかかることもあり、持針器をすぐに医師に渡すことが出来なかったり、縫合針がなくなったりと看護師が困っているのが実状である。
また、針の先端で自分の手などを刺してしまうこともあるため、感染症の手術をする場合、医療従事者への感染の可能性が生じる。
【０００３】
特許文献１には、使用済みの縫合針を廃棄する際に、患者の体内に残さないように正確にその使用本数をカウントし、さらに医療用廃棄物として適切に処分するために、前後に展開可能なポケット形状のジャバラ中敷の各々上辺部に針用カウンター用の数字を記し、廃棄時にはジャバラ中敷を前後から挟み込んで折りたたみ密閉する構造で、ジャバラ中敷針収納部分を横一列に複数連になっている形状とし、ジャバラ中敷部分は一枚の紙又は薄い樹脂板である手術用縫合針カウンターが提案されている。
【０００４】
特許文献２には、使用済み手術用針の収納容器及び手術用針の把持器具として、二つ折りにされたプラスチックシートからなり、上方シートは下方シートのフタ部を構成し、該下方シートはその三辺に側壁を有し、下方シートの内表面に両面接着テープ、上方シートの縁部に両面接着テープ、また両面接着テープの上又は下にゴムマグネット片を設け、ゴムマグネット片のうちの少なくとも一つのゴムマグネット片の長手方向に沿ってゴムマグネット片の下面近傍に、又は該ゴムマグネット片の上面に、又は該下面近傍及び上面の両方に使用済み手術用針をカウントするための記号が表示されている。手術用針を把持するための先端部分と柄部分からなる所定長さを有するへら状の器具であって、該先端部分が柄部分に対して３０〜３５°の角度をなし、先端部分の裏側にゴムマグネット片が設けられ、先端部分の表側に円錐状の突起部が設けられている把持器具が提案されている。
【特許文献１】特許第３７８４３９９号公報
【特許文献２】特許第３７０２９５４号公報
【発明の開示】
【発明が解決しようとする課題】
【０００５】
しかしながら、上記特許文献１、２共に縫合針（手術用針）のみの容器であり、持針器に縫合針をつけたまま保管することができない。特許文献１にある一枚の紙又は薄い樹脂板に縫合針を刺すと針の先端が曲がるなどの劣化が起こり、縫合時に支障がある。スポンジやコルクなどに刺す方法も見受けられるが同様のことが生じる。また、特許文献２の把持器具に縫合針をつけたままの持針器を置くと、持針器の安定性がなく、蓋をすることが出来ない。蓋をしなければ針の先端が露出した状態となり、看護師の針刺し事故の原因となる。
本発明は、上記のような問題に鑑み、その問題を解決すべく創案されたものであって、その目的とするところは、持針器につけてある縫合針の保管容器を提供することにある。
【課題を解決するための手段】
【０００６】
本発明の持針器につけてある縫合針の保管容器は、容器の前側壁に略逆三角形状の溝を設けることで様々な種類と大きさの持針器が立て掛けられるようにし、縫合針を容器の中で確実に保護できることを特徴とした。
【０００７】
容器の内側の後壁側よりに仕切りを設けることで、持針器につけていない縫合針を保管できる構造とした。
【０００８】
透明のプラスチックのケースからなり手前から後に開く蓋を設けることで、看護師が安全かつ迅速に対応できる構造とした。
【発明の効果】
【０００９】
容器の前側壁１に略逆三角形状の溝１aを採用することで、様々な種類と大きさの持針器１０を挟むようにして置くことができ、がたつきが生じないので安定している。
【００１０】
外箱の前側壁１に略逆三角形状の溝１aを複数個設けておけば、１つの蓋を開けることで複数個の持針器が使用可能になるので、縫合時迅速に医師に渡すことができる。
【００１１】
プラスチックの容器の中の空間に縫合針を保管するため、針先の劣化などが起こらない。
【００１２】
透明であるがゆえに持針器１０につけてある縫合針１１の大きさがひと目でわかり、縫合針の管理に便利である。
【００１３】
また、針入れ仕切り５をつけることで、持針器につけていない縫合針を入れることができ、縫合針の管理に便利である。
【００１４】
さらに、蓋６を閉じることで針先の露出がなくなり、針の先端にガーゼ等がひっかかったり、縫合針がなくなったりと看護師が困らなくなる。また、安心して器械の管理を行うことができ、看護師の針刺し防止に繋がる。
【００１５】
手術終了後には使用した縫合針を保管容器にひとまとめにして、感染性廃棄物のプラスチック容器に破棄することが可能である。
【発明を実施するための最良の形態】
【００１６】
本発明の持針器につけてある縫合針の保管容器は、図１に示すように透明プラスチック製の直方体形の容器であり、手前から後に回動するように開く本体に一体化された上蓋６が設けられている。容器の前側壁１の上部と蓋６の端部に留め具６aが形成されている。
【００１７】
前側壁１に前側壁の高さのほぼ半分の深さまで略逆三角形状の溝１aがほぼ対称な位置に二ヶ所構成されている。
略逆三角形状の溝の必要な部分は、上方向に広がった斜面であり、これによっていろいろな大きさの持針器を挟むように固定することができる。
従って、下部の角や上端の切り始めが図５のように小さな円弧や短い直線で繋がっていても良い。
溝の数は２個に限定しないが、２個の持針器を片手で持って移動することは比較的容易なので一般的には溝の数は２個が扱いやすい。
【００１８】
後壁側４よりの容器内側に針入れ仕切り５を設けてあり、使用後の縫合針を収納することができる。
【００１９】
以下、本発明による保管容器の使用方法について述べる。
手術中に使用する持針器や縫合針、糸は縫合する場所によって使い分けているため、使用前に準備しておくことが必要である。
手術の準備段階では、まず持針器に手術内容に応じた縫合針を保持させ、針に使用する糸を通し、前記保管容器の略逆三角形状の溝１ａに立て掛けて蓋６をして、留め具６ａによって蓋が閉じた状態を保っておく。
また、最近、縫合針と糸が合体しているものを使用する機会が増えているが、この場合も同様に保管し、安全かつ迅速に渡せるようにしておく。
【００２０】
手術中に使用する場合は、留め具６ａをはずして蓋６を手前から後に開けて使用する。使用していない時にも、持針器につけてある縫合針は準備段階と同様にしておく。
手術終了後は、後壁側４と針入れ仕切り５の間に使用した縫合針を入れ破棄する。
【図面の簡単な説明】
【００２１】
【図１】持針器につけてある縫合針の保管容器の外観図である。
【図２】蓋を開けた状態の図である。
【図３】保管容器に縫合針をつけた持針器を置き、真横から見た図である。
【図４】保管容器に縫合針をつけた持針器を置き、真上から見た図である。
【図５】略逆三角形の溝の例である。
【符号の説明】
【００２２】
１    前側壁
１ａ  略逆三角形状の溝
２    右横壁
３    左横壁
４    後側壁
５    針入れ仕切り
６    蓋
６a   留め具
１０  持針器
１１  縫合針
【図１】
2009247834.tif 000003
【図２】
2009247834.tif 000004
【図３】
2009247834.tif 000005
【図４】
2009247834.tif 000006
【図５】
2009247834.tif 000007